(57)【要約】      （修正有）【課題】表示負荷に依存することなく高い表示品位を保つことが可能な表示装置およびその駆動方法を提供する。【解決手段】維持放電パルスを繰り返し印加することで発光を行う表示装置の駆動方法であって、前記維持放電パルスのパルス幅を１つのサブフィールド内で変動させるように構成する。維持放電パルスのパルス幅を、１フィールド全体の総維持放電パルス数を算出し、該算出された総維持放電パルス数に応じて制御し、維持放電期間の前半においては狭く、且つ、該維持放電期間の後半においては広くなるように制御する。【選択図】図５
2010079306.tif 000002
【特許請求の範囲】
【請求項１】
維持放電パルスを繰り返し印加することで発光を行う表示装置の駆動方法であって、前記維持放電パルスのパルス幅を１つのサブフィールド内で変動させることを特徴とする表示装置の駆動方法。
【請求項２】
請求項１に記載の表示装置の駆動方法において、前記維持放電パルスのパルス幅を維持放電電圧の電圧降下量に応じて制御することを特徴とする表示装置の駆動方法。
【請求項３】
請求項１または２に記載の表示装置の駆動方法において、前記維持放電パルスのパルス幅を、維持放電期間の初めのうちは狭く、且つ、該維持放電期間の後に行くほど徐々に広くなるように制御することを特徴とする表示装置の駆動方法。
【請求項４】
請求項１または２に記載の表示装置の駆動方法において、前記維持放電パルスのパルス幅を、前記サブフィールド内の特定部分では狭く、且つ、該サブフィールド内の特定部分の後は徐々に広くなるように制御することを特徴とする表示装置の駆動方法。
【請求項５】
請求項１に記載の表示装置の駆動方法において、前記維持放電パルスのパルス幅を、１フィールド全体の総維持放電パルス数を算出し、該算出された総維持放電パルス数に応じて制御することを特徴とする表示装置の駆動方法。
【請求項６】
表示パネル部と、画像信号を受け取って表示装置に適した画像データを該表示パネル部に供給するデータコンバータと、前記表示パネル部に電力を供給する電源部と、前記維持放電パルスのパルス幅を１つのサブフィールド内で変動させる維持放電パルス制御回路とを備えることを特徴とする表示装置。
【請求項７】
請求項６に記載の表示装置において、前記維持放電パルス制御回路は、維持放電電圧の電圧降下量に応じて前記維持放電パルスのパルス幅を制御することを特徴とする表示装置。
【請求項８】
請求項７に記載の表示装置において、前記電源部は、前記維持放電電圧を実際に検出し、前記維持放電パルス制御回路は、該検出された維持放電電圧に応じて前記維持放電パルスのパルス幅を制御することを特徴とする表示装置。
【請求項９】
請求項７に記載の表示装置において、前記データコンバータは、１フィールドを構成する各サブフィールドの負荷率を検出し、前記維持放電パルス制御回路は、該検出された各サブフィールドの負荷率に応じて前記維持放電パルスのパルス幅を制御することを特徴とする表示装置。
【請求項１０】
請求項７に記載の表示装置において、前記データコンバータは、１フィールド全体の加重平均負荷率を算出し、前記維持放電パルス制御回路は、該算出された加重平均負荷率に応じて前記維持放電パルスのパルス幅を制御することを特徴とする表示装置。
【発明の詳細な説明】
【技術分野】
【０００１】
本発明は、表示装置およびその駆動方法に関し、特に、プラズマディスプレイパネル（ＰＤＰ：Plasma Display Panel）のような維持放電パルス（発光パルス）による維持放電を繰り返し、その繰り返し回数によって発光を調整する表示装置およびその駆動方法に関する。
【０００２】
近年、表示装置の大型化に伴って薄型の表示装置が要求され、各種類の薄型の表示装置が提供されている。例えば、ディジタル信号のままで表示するマトリックスパネル、すなわち、ＰＤＰ等のガス放電パネルや、ＤＭＤ（Digital Micromirror Device）、ＥＬ表示素子、蛍光表示管、液晶表示素子等のマトリックスパネル等が提供されている。このような薄型の表示装置のうち、ガス放電パネルは、簡易なプロセスのため大画面化が容易であること、自発光タイプで表示品質が良いこと、並びに、応答速度が速いこと等の理由から大画面で直視型のＨＤＴＶ（高品位テレビ）用表示デバイスの最有力候補として考えられている。
【０００３】
例えば、ＰＤＰにおいては、各々のフィールド内に複数の維持放電パルスで構成される複数の発光ブロック（サブフィールド：ＳＦ）を有し、そのサブフィールドの組み合わせで中間調を表示している。すなわち、ＰＤＰにおいては、維持放電パルスによる維持放電を繰り返すことで発光時間を調整し、表示階調を表現している。
【０００４】
ところで、維持放電期間における電流（維持放電電流）は、維持放電期間の開始位置では少なく、維持放電を繰り返した後半に進むに連れて多くなる。そして、維持放電により電力を消費するため、それに反比例した維持放電電圧降下が発生し、この維持放電電圧の低下により、維持放電が不完全となることから、消費電力の多い映像での維持放電降下を考慮した制御を行うことのできる表示装置およびその駆動方法が要望されている。
【０００５】
なお、本明細書において、「フィールド」なる文言は、例えば、１フレームの画像をインターレース表示する奇数および偶数の２つのフィールドで構成する場合を想定して使用しているが、例えば、１フレームの画像をプログレッシブ表示する場合には、「フィールド」なる文言はそのまま「フレーム」に置き換えて適用することができる。
【背景技術】
【０００６】
従来、維持放電パルスの設定は、例えば、表示データからフレーム毎の表示負荷率を計算し、それぞれのフレーム（フィールド）でその表示負荷率を基に算出して行われ、表示装置の消費電力が一定値を越えないように制御されている。このような技術を開示する文献としては、例えば、日本国特開平０６−３３２３９７号公報および特開２０００−０９８９７０号公報が挙げられる。
【０００７】
具体的に、特開平０６−３３２３９７号公報は、所定期間中に与えられる所定レベルの画素信号数を積算する積算手段と、この積算手段の積算結果に基づいてパネル駆動周波数を変更する周波数変更手段とを備えたフラットパネルディスプレイ装置を開示しており、また、特開２０００−０９８９７０号公報は、所定期間中に与えられる画素信号数を階調表示のためのビット信号単位で積算する積算手段と、この積算手段の積算結果に基づいて維持放電波形の周波数を変更する周波数変更手段とを備えたプラズマディスプレイ装置を開示している。
【０００８】
図１は本発明が適用される表示装置の一例を示すブロック図であり、プラズマディスプレイ装置（プラズマディスプレイパネル：ＰＤＰ）の一例を示すものである。図１において、参照符号１はデータコンバータ、２はフレームメモリ、３は電力制御回路、４はドライバ制御回路、５は電源、６はアドレスドライバ、７はＹドライバ、８はＸドライバ、そして、９は表示パネルを示している。
【０００９】
図１に示されるように、データコンバータ１は、外部からの画像信号および垂直同期信号Ｖsyncを受け取って、ＰＤＰ用のデータ（複数のサブフィールドＳＦにより画像を表示するためのデータ）に変換する。フレームメモリ２は、データコンバータ１でＰＤＰ用に変換された次のフィールド用のデータを保持する。そして、データコンバータ１は、それまでフレームメモリ２に保持されていたデータをアドレスドライバ６へアドレスデータとして供給すると共に、その表示負荷率をドライバ制御回路４に与える。ここで、表示負荷率とは、各サブフィールドにおける点灯セル（発光するドット）の数をカウントして得られる負荷率である。
【００１０】
ドライバ制御回路４は、電力制御回路３から各サブフィールド（ＳＦ）の維持放電パルス数（サステインパルス数）の制御信号および内部で発生された垂直同期信号Ｖsync2を受け取って、Ｙドライバ７に駆動制御データを供給する。なお、データコンバータ１からの表示負荷率のデータ信号は、ドライバ制御回路４を介して電力制御回路３に供給される。
【００１１】
表示パネル９には、アドレス電極Ａ１〜Ａｍ、Ｙ電極Ｙ１〜ＹｎおよびＸ電極Ｘが設けられていて、それぞれアドレスドライバ６、Ｙドライバ７およびＸドライバ８により駆動される。電源５は、アドレスドライバ６、Ｙドライバ７およびＸドライバ８に対して電力を供給すると共に、これらアドレスドライバ６、Ｙドライバ７およびＸドライバ８に対する電圧および電流を検出して電力制御回路３に与える。すなわち、アドレスドライバ６のアドレス電圧および電流、並びに、Ｙドライバ７とＸドライバ８の維持放電電圧および維持放電電流の検出値が電源５から電力制御回路３に供給され、電力制御回路３における処理に使用される。ここで、表示パネル部は、アドレスドライバ６、Ｙドライバ７、Ｘドライバ８および表示パネル９を備えて構成される。
【００１２】
図２は図１に示す表示装置における駆動方法の一例を説明するための図である。
【００１３】
図２に示す駆動方法は、１フレームの画像を奇数および偶数の２つのフィールドでインターレースにより表示するもので、各奇数フィールドおよび偶数フィールドは、それぞれ複数のサブフィールド（例えば、７つのサブフィールドＳＦ０〜ＳＦ６）で構成される。各サブフィールドＳＦ０〜ＳＦ６は、アドレスデータに応じて点灯セルのアドレス放電を行うアドレス放電期間、および、選択されたセル（点灯セル）に対して維持放電パルス（発光パルス）を与えて発光させる維持放電期間（発光期間）を有している。ここで、各サブフィールドＳＦ０〜ＳＦ６の重みは、ＳＦ０：ＳＦ１：ＳＦ２：ＳＦ３：ＳＦ４：ＳＦ５：ＳＦ６＝１：２：４：８：１６：３２：６４となっている。
【００１４】
図３は図１に示す表示装置における駆動方法の他の例を説明するための図である。
【００１５】
図３に示す駆動方法は、１フレームの画像を１つのフィールドでプログレッシブにより表示するもので、各フィールド（フレーム）は、それぞれ複数のサブフィールド（例えば、６つのサブフィールドＳＦ０〜ＳＦ５）で構成される。各サブフィールドＳＦ０〜ＳＦ５は、アドレスデータに応じて点灯セルのアドレス放電を行うアドレス放電期間、および、選択されたセルに対して維持放電パルスを与えて発光させる維持放電期間を有している。ここで、各サブフィールドＳＦ０〜ＳＦ５の重みは、ＳＦ０：ＳＦ１：ＳＦ２：ＳＦ３：ＳＦ４：ＳＦ５＝１：２：４：８：１６：３２となっている。
【００１６】
なお、図２および図３におけるサブフィールドの数および重み等は、様々に設定し得るのはいうまでもない。
【先行技術文献】
【特許文献】
【００１７】
【特許文献１】特開平０６−３３２３９７号公報
【特許文献２】特開２０００−０９８９７０号公報
【発明の概要】
【発明が解決しようとする課題】
【００１８】
図４は従来の表示装置の駆動方法の一例を説明するための図であり、維持放電電圧Ｖｓ、維持放電電流Ｉｓおよび維持放電パルス期間Ｔsus（Ｔsus0, Ｔsus1,Ｔsus2）の関係を示すものである。
【００１９】
図４に示されるように、各サブフィールドＳＦ（例えば、サブフィールドＳＦ１）の維持放電期間Ｔsus（Ｔsus1）において、維持放電電流Ｉｓは、その開始位置ＳＤｓから徐々に増加し、それに反比例して維持放電電圧Ｖｓは徐々に低下する。そして、維持放電電流Ｉｓは、維持放電期間Ｔsus（Ｔsus1）の終了位置ＳＤｅで最大値となるため、維持放電電圧Ｖｓは、維持放電期間Ｔsus（Ｔsus1）の終了位置ＳＤｅで最小値となる。なお、維持放電パルスのパルス幅は、全ての維持放電期間Ｔsus（Ｔsus1）を通して一定（例えば、２μｓ）である。
【００２０】
さらに、高輝度を実現するためには、維持放電パルスの数を増やす必要があるが、このように維持放電パルスの数を増やすと、維持放電電圧Ｖｓがより一層低下することになる。
【００２１】
ところで、どのような映像を表示する場合であっても、完全な維持放電を行うためには、図４の実線で示すような電圧降下を有する維持放電電圧Ｖｓを、その電圧降下分を考慮して高く設定した図４の一点鎖線で示すような維持放電電圧Ｖｓ’とする必要がある。
【００２２】
しかしながら、維持放電電圧Ｖｓを高く設定するとドライバ回路の耐圧や放熱或いは消費電力等の様々な問題が生じるため、現実的には、維持放電電圧Ｖｓをそれほど高く設定することはできない。そのため、従来の表示装置では、維持放電電圧Ｖｓの電圧降下により十分な維持放電ができなくなり表示品質が低下することにもなっていた。
【００２３】
本発明は、上述した従来の表示装置における課題に鑑み、表示負荷に依存することなく高い表示品位を保つことが可能な表示装置およびその駆動方法の提供を目的とする。
【課題を解決するための手段】
【００２４】
本発明の第１の形態によれば、維持放電パルスを繰り返し印加することで発光を行う表示装置の駆動方法であって、前記維持放電パルスのパルス幅を１つのサブフィールド内で変動させることを特徴とする表示装置の駆動方法が提供される。
【００２５】
また、本発明の第２の形態によれば、表示パネル部と、画像信号を受け取って表示装置に適した画像データを該表示パネル部に供給するデータコンバータと、前記表示パネル部に電力を供給する電源部と、前記維持放電パルスのパルス幅を１つのサブフィールド内で変動させる維持放電パルス制御回路とを備えることを特徴とする表示装置が提供される。
【発明の効果】
【００２６】
以上、詳述したように、本発明によれば、表示負荷に依存することなく高い表示品位を保つことが可能な表示装置およびその駆動方法を提供することができる。
【図面の簡単な説明】
【００２７】
【図１】本発明が適用される表示装置の一例を示すブロック図である。
【図２】図１に示す表示装置における駆動方法の一例を説明するための図である。
【図３】図１に示す表示装置における駆動方法の他の例を説明するための図である。
【図４】従来の表示装置の駆動方法の一例を説明するための図である。
【図５】本発明に係る表示装置における駆動方法の一実施例を説明するための図である。
【図６】本発明に係る表示装置における駆動方法の一例を示すフローチャートである。
【図７】本発明に係る表示装置における駆動方法の他の例を示すフローチャートである。
【図８】本発明に係る表示装置における駆動方法の他の実施例を説明するための図である。
【発明を実施するための形態】
【００２８】
以下、本発明に係る表示装置およびその駆動方法の実施例を図面に従って詳述する。なお、本発明に係る表示装置およびその駆動方法は、インターレース方式のＰＤＰに限定されるものでなく、プログレッシブ方式のＰＤＰ、さらには、様々な表示装置に対して幅広く適用することができる。
【００２９】
図５は本発明に係る表示装置における駆動方法の一実施例を説明するための図である。
【００３０】
図５と前述した図４との比較から明らかなように、本実施例に係る表示装置の駆動方法では、電圧降下を有する維持放電電圧Ｖｓをその電圧降下分を考慮して高く設定するのではなく、１つのサブフィールド（例えば、ＳＦ１）内で維持放電パルスのパルス幅を調整するようになっている。
【００３１】
図５に示されるように、１つのサブフィールドＳＦ１内における維持放電電圧Ｖｓのドロップ量（電圧降下分）は、維持放電期間Ｔsus1の各位置で異なる。具体的に、維持放電電圧Ｖｓの電圧レベルは、維持放電期間Ｔsus1の開始位置ＳＤｓから徐々に低下して維持放電期間Ｔsus1の終了位置ＳＤｅで最小値となる。
【００３２】
そこで、本実施例では、維持放電期間Ｔsus1の開始位置ＳＤｓ付近ではパルス幅（維持放電パルスの維持放電電圧レベルの幅）を狭く（例えば、１μｓ）し、その後、中間位置ではパルス幅を広げ（例えば、２μｓ）、さらに、維持放電期間Ｔsus1の終了位置ＳＤｅ付近ではパルス幅をさらに広く（例えば、３μｓ）するようにして、維持放電電圧Ｖｓの電圧降下分を維持放電パルスのパルス幅を広げることで補償するようになっている。ここで、１つのサブフィールド内で変動させる維持放電パルスのパルス幅は、上記の３つのパルス幅（１μｓ，２μｓ，３μｓ）に限定されないのはいうまでもない。
【００３３】
すなわち、１つのサブフィールド内の維持放電パルスのパルス幅は、維持放電期間Ｔsusの前半においては狭く、且つ、該維持放電期間の後半においては広くなるように制御したり、或いは、維持放電期間Ｔsusの初めのうちは狭く、且つ、該維持放電期間の後に行くほど徐々に広くなるように制御することができる。
【００３４】
本実施例の表示装置の駆動方法は、例えば、維持放電期間の終了位置付近において、維持放電電圧の電圧レベルが低下して維持放電が十分に行えない、すなわち、十分な壁電荷を形成できないのを、維持放電パルスのパルス幅を広げることにより、低い維持放電電圧でも十分な壁電荷を形成して完全な維持放電を行うようになっている。
【００３５】
ここで、例えば、フィールド（フレーム）全体の表示負荷率が大きくなった時には、消費電力を制限するために維持放電パルス数を減らすことになる。なお、その時に発生した休止期間を維持放電期間へ転用し、維持放電電流の多い位置にはよりパルス幅の広い維持放電パルスを印加し、これにより、表示負荷が変動してもそれに応じて高い表示品位を確保することが可能になる。
【００３６】
このように、本実施例の表示装置の駆動方法によれば、維持放電電圧を高く設定することなく、維持放電電圧の電圧降下による不完全な維持放電を補償して、高い表示品位を保つことが可能になる。
【００３７】
図６は本発明に係る表示装置における駆動方法の一例を示すフローチャートであり、１フィールド全体の維持放電パルス数に従って維持放電パルスのパルス幅を制御するものである。
【００３８】
図６に示されるように、維持放電パルスの制御処理が開始されると、ステップＳＴ１０１において、表示データを入力し、ステップＳＴ１０２に進んで、データコンバータ１により各サブフィールドＳＦ毎の表示負荷率（Ｌ｛ＳＦ（ｎ）｝を決定し、さらに、ステップＳＴ１０３で各サブフィールドＳＦの重み（例えば、ＳＦ０：ＳＦ１：ＳＦ２：ＳＦ３：ＳＦ４：ＳＦ５＝１：２：４：８：１６：３２、図３の例）を考慮した加重平均負荷率（ＷＡＬ）を決定し、さらに、ステップＳＴ１０４に進んで、１フィールド（フレーム）の維持放電パルス数（Ｓ：ＳＵＳ数）を決定（算出）する。
【００３９】
次に、ステップＳＴ１０５に進んで、サブフィールドＳＦのカウント値ｎ＝０とし、ステップＳＴ１０６において、算出された維持放電パルス数Ｓと、維持放電パルスのパルス幅を全てのサブフィールドＳＦが共通に太くすることができる維持放電パルス数Ａとの比較を行う（Ｓ≦Ａ？）。
【００４０】
ステップＳＴ１０６において、Ｓ≦Ａが成立すると判別されると、ステップＳＴ１１３に進んで、カウント値ｎとサブフィールドＳＦの数とを比較する（ｎ≧Ｎ？）。ステップＳＴ１１３において、ｎ≧Ｎが成立しない、すなわち、カウント値ｎが最大の重みのサブフィールドＳＦｎまで達していないと判別されると、ステップＳＴ１１４に進んで、各サブフィールドＳＦにおける維持放電パルス数のカウント値ｍ＝０とし、ステップＳＴ１１５において、ｍとＭ｛ＳＦ（ｎ）｝との比較を行う（ｍ≧Ｍ｛ＳＦ（ｎ）｝？）。ここで、Ｍ｛ＳＦ（＊）｝は、サブフィールドＳＦ（＊）における全ての維持放電パルスのパルス幅を太くすることが可能な休止時間のあるパルス数を示している。
【００４１】
ステップＳＴ１１５において、ｍ≧Ｍ｛ＳＦ（ｎ）｝が成立しないと判別されると、ステップＳＴ１１６に進んで、Ｐ｛ＳＦ（ｎ），ｍ｝＝Ｐ３（広いパルス幅の維持放電パルス）とし、さらに、ステップＳＴ１１７において、ｍ＝ｍ＋１としてステップＳＴ１１５に戻る。ここで、Ｐ｛ＳＦ（＊），ｍ｝は、サブフィールドＳＦ（＊）の維持放電パルスの出力パルス幅を示している。
【００４２】
ステップＳＴ１１５において、ｍ≧Ｍ｛ＳＦ（ｎ）｝が成立すると判別されると、ステップＳＴ１１８に進んで、カウント値ｎ＝ｎ＋１としてステップＳＴ１１３に戻り同様の処理を繰り返す。そして、ステップＳＴ１１３において、ｎ≧Ｎが成立する、すなわち、ｎが最大の重みのサブフィールドＳＦｎまで達したと判別されると、処理は終了する。
【００４３】
このように、算出された維持放電パルス数Ｓが維持放電パルスのパルス幅を全てのサブフィールドＳＦが共通に太くすることができる維持放電パルス数Ａよりも少なく（Ｓ≦Ａ：ステップＳＴ１０６）、且つ、各サブフィールドＳＦにおける維持放電パルス数が全ての維持放電パルスのパルス幅を太くすることが可能な休止時間のあるパルス数よりも少ない場合（ｍ＜Ｍ｛ＳＦ（ｎ）｝：ステップＳＴ１１５）には、全てのサブフィールドＳＦの全ての維持放電パルスのパルス幅を太く（Ｐ｛ＳＦ（ｎ），ｍ｝＝Ｐ３：ステップＳＴ１１６）する。もし、全ての維持放電パルスを太くするのに十分な休止期間が無いとすると、そのフィールド（フレーム）における総維持放電パルス数に応じて維持放電パルスのパルス幅を調整する必要がある。
【００４４】
維持放電パルスのパルス幅を調整する方法は、維持放電パルスのパルス幅を変える変異点を設け、維持放電パルスが何回繰り返されたらパルス幅を変えるという閾値を設定する。その閾値は、１フィールド（１フレーム）の総維持放電パルス数に毎に設定する必要があり、その１フィールドの総維持放電パルス数に応じた各サブフィールドＳＦ毎の変異点をルックアップテーブル（ＬＵＴ）にて所持する。なお、図６では、維持放電パルスのパルス幅を調整するための変異点が２個所（Ｔ１，Ｔ２）で所定のサブフィールドＳＦに着目した場合の例を説明している。
【００４５】
以下、その処理の流れを説明する。
【００４６】
ステップＳＴ１０６において、Ｓ≦Ａが成立しないと判別されると、ステップＳＴ１０７に進んで、ｎとサブフィールドＳＦの数とを比較する（ｎ≧Ｎ？）。ステップＳＴ１０７において、ｎ≧Ｎが成立しない、すなわち、カウント値ｎが最大の重みのサブフィールドＳＦｎまで達していないと判別されると、ステップＳＴ１０８に進んで、算出された維持放電パルス数Ｓをもとにルックアップテーブル（ＬＵＴ）からＴ１｛ＳＦ（ｎ）｝，Ｔ２｛ＳＦ（ｎ）｝を決定する。ここで、Ｔ１｛ＳＦ（＊）｝は、サブフィールドＳＦ（＊）内でパルス幅を変化させるタイミングパラメータであり、維持放電パルスの何発目からＰ３（広いパルス幅の維持放電パルス）というデータにするかを決定し、また、Ｔ２｛ＳＦ（＊）｝は、サブフィールドＳＦ（＊）内でパルス幅を変化させるタイミングパラメータであり、維持放電パルスの何発目からＰ２（中間のパルス幅の維持放電パルス）というデータにするかを決定する。
【００４７】
さらに、ステップＳＴ１０９に進んで、カウント値ｍ＝０とし、ステップＳＴ１１０において、ｍとＴ１との比較を行う（ｍ≧Ｔ１？）。ステップＳＴ１１０において、ｍ≧Ｔ１が成立しないと判別されると、ステップＳＴ１１１において、Ｐ｛ＳＦ（ｎ），ｍ｝＝Ｐ１（狭いパルス幅の維持放電パルス）とし、さらに、ステップＳＴ１１２において、ｍ＝ｍ＋１としてステップＳＴ１１０に戻る。
【００４８】
ステップＳＴ１１０において、ｍ≧Ｔ１が成立すると判別されると、ステップＳＴ１１９に進み、ステップＳＴ１１０〜ステップＳＴ１１２に対応するステップＳＴ１１９〜ステップＳＴ１２１の処理を行う。すなわち、ステップＳＴ１１９において、ｍ≧Ｔ２が成立しないと判別されると、ステップＳＴ１２０において、Ｐ｛ＳＦ（ｎ），ｍ｝＝Ｐ２（中間のパルス幅の維持放電パルス）とし、さらに、ステップＳＴ１２１において、ｍ＝ｍ＋１としてステップＳＴ１１９に戻る。
【００４９】
ステップＳＴ１１９において、ｍ≧Ｔ２が成立すると判別されると、ステップＳＴ１２２に進み、ステップＳＴ１１０〜ステップＳＴ１１２（ステップＳＴ１１９〜ステップＳＴ１２１）に対応するステップＳＴ１２２〜ステップＳＴ１２４の処理を行う。すなわち、ステップＳＴ１２２において、ｍ≧Ｍ｛ＳＦ（ｎ）｝が成立しないと判別されると、ステップＳＴ１２３において、Ｐ｛ＳＦ（ｎ），ｍ｝＝Ｐ３（広いパルス幅の維持放電パルス）とし、さらに、ステップＳＴ１２４において、ｍ＝ｍ＋１としてステップＳＴ１２２に戻る。
【００５０】
そして、ステップＳＴ１２２において、ｍ≧Ｍ｛ＳＦ（ｎ）｝が成立すると判別されると、ステップＳＴ１２５に進んで、ｎ＝ｎ＋１としてステップＳＴ１０７に戻り同様の処理を繰り返す。
【００５１】
このように、１フィールド（１フレーム）の総パルス数Ｓの時のサブフィールドＳＦ（ｎ）におけるパルス幅変異点がＴ１｛ＳＦ（ｎ）｝およびＴ２｛ＳＦ（ｎ）｝の２個所である場合、サブフィールドＳＦ（ｎ）のパルス幅は、維持放電期間（Ｔsus）の１発目からＴ１｛ＳＦ（ｎ）｝以下までがＰ１（狭い幅の維持放電パルス）となり、維持放電期間（Ｔsus）のＴ１｛ＳＦ（ｎ）｝より多くＴ２｛ＳＦ（ｎ）｝以下までがＰ２（中間のパルス幅の維持放電パルス）となり、そして、それ以降がＰ３（広いパルス幅の維持放電パルス）となる。すなわち、維持放電パルスのパルス幅は、Ｐ１＜Ｐ２＜Ｐ３となっている。
【００５２】
以上において、変異点Ｔ１，Ｔ２は、任意に増加することが可能であり、その場合には、さらなる変異点（Ｔ３，…，Ｔｋ）を設定し、図６のフローチャートにおける変異点Ｔ１，Ｔ２を用いた維持放電パルスのパルス幅決定ループを増やすことで達成することができる。
【００５３】
そして、ステップＳＴ１０７において、ｎ≧Ｎが成立する、すなわち、ｎが最大の重みのサブフィールドＳＦｎまで達したと判別されると、処理は終了する。
【００５４】
図７は本発明に係る表示装置における駆動方法の他の例を示すフローチャートであり、１フィールドを構成する各サブフィールドの負荷率に従って維持放電パルスのパルス幅を制御するものである。
【００５５】
すなわち、上述した図６に示す駆動方法では、ステップＳＴ１０８において、１フィールド全体の維持放電パルス数Ｓをもとにルックアップテーブル（ＬＵＴ）からＴ１｛ＳＦ（ｎ）｝，Ｔ２｛ＳＦ（ｎ）｝を決定するのに対して、図７に示す本駆動回路では、ステップＳＴ２０８において、１フィールドを構成する各サブフィールドの負荷率Ｌ｛ＳＦ（ｎ）｝をもとにルックアップテーブル（ＬＵＴ）からＴ１｛ＳＦ（ｎ）｝，Ｔ２｛ＳＦ（ｎ）｝を決定するようになっている。なお、他の処理は、図６および図７で共通しているのでその説明は省略する。
【００５６】
図８は本発明に係る表示装置における駆動方法の他の実施例を説明するための図である。
【００５７】
図８と図５との比較から明らかなように、本実施例の表示装置の駆動方法は、各サブフィールドＳＦ（例えば、サブフィールドＳＦ１）の維持放電期間Ｔsus（Ｔsus1）において、最初の１発の維持放電パルスのパルス幅を広く（例えば、４μｓ）なるように制御して、アドレス放電から維持放電への繋がりを確実なものとするようになっている。なお、他の構成（維持放電パルスのパルス幅の制御）は、前述した図５と同様である。
【００５８】
ここで、本実施例では、維持放電期間Ｔsusにおける最初の１発の維持放電パルスのパルス幅を広くなるように制御しているが、これは最初の１発に限定されるものではなく、例えば、最初の２発または３発の維持放電パルスのパルス幅を広くなるように制御してもよい。
【００５９】
（付記１） 維持放電パルスを繰り返し印加することで発光を行う表示装置の駆動方法であって、前記維持放電パルスのパルス幅を１つのサブフィールド内で変動させることを特徴とする表示装置の駆動方法。
【００６０】
（付記２） 付記１に記載の表示装置の駆動方法において、前記維持放電パルスのパルス幅を維持放電電圧の電圧降下量に応じて制御することを特徴とする表示装置の駆動方法。
【００６１】
（付記３） 付記２に記載の表示装置の駆動方法において、前記維持放電パルスのパルス幅を、前記維持放電電圧を実際に検出し、該検出された維持放電電圧に応じて制御することを特徴とする表示装置の駆動方法。
【００６２】
（付記４） 付記２に記載の表示装置の駆動方法において、前記維持放電パルスのパルス幅を、１フィールドを構成する複数のサブフィールドの負荷率を検出し、該検出されたサブフィールドの負荷率に応じて制御することを特徴とする表示装置の駆動方法。
【００６３】
（付記５） 付記２に記載の表示装置の駆動方法において、前記維持放電パルスのパルス幅を、１フィールド全体の加重平均負荷率を算出し、該算出された加重平均負荷率に応じて制御することを特徴とする表示装置の駆動方法。
【００６４】
（付記６） 付記１〜５のいずれか１項に記載の表示装置の駆動方法において、前記維持放電パルスのパルス幅を、維持放電期間の前半においては狭く、且つ、該維持放電期間の後半においては広くなるように制御することを特徴とする表示装置の駆動方法。
【００６５】
（付記７） 付記１〜５のいずれか１項に記載の表示装置の駆動方法において、前記維持放電パルスのパルス幅を、維持放電期間の初めのうちは狭く、且つ、該維持放電期間の後に行くほど徐々に広くなるように制御することを特徴とする表示装置の駆動方法。
【００６６】
（付記８） 付記１〜５のいずれか１項に記載の表示装置の駆動方法において、前記維持放電パルスのパルス幅を、前記サブフィールド内の特定部分では狭く、且つ、該サブフィールド内の特定部分の後は徐々に広くなるように制御することを特徴とする表示装置の駆動方法。
【００６７】
（付記９） 付記１〜８のいずれか１項に記載の表示装置の駆動方法において、前記維持放電パルスのパルス幅を、前記維持放電期間の少なくとも最初の１発は広くなるように制御することを特徴とする表示装置の駆動方法。
【００６８】
（付記１０） 付記１に記載の表示装置の駆動方法において、前記維持放電パルスのパルス幅を、１フィールド全体の総維持放電パルス数を算出し、該算出された総維持放電パルス数に応じて制御することを特徴とする表示装置の駆動方法。
【００６９】
（付記１１） 付記１０に記載の表示装置の駆動方法において、前記算出された総維持放電パルス数が、維持放電パルスのパルス幅を全てのサブフィールドが共通に太くすることができる維持放電パルス数よりも少なく、且つ、前記各サブフィールドの維持放電パルス数が、全ての維持放電パルスのパルス幅を太くすることが可能な休止時間のあるパルス数よりも少ないとき、前記全てのサブフィールドの全ての維持放電パルスのパルス幅を太くすることを特徴とする表示装置の駆動方法。
【００７０】
（付記１２） 付記１〜１１のいずれか１項に記載の表示装置の駆動方法において、前記１フィールドを複数のサブフィールドにより構成し、該サブフィールドの組み合わせにより中間調を表示することを特徴とする表示装置の駆動方法。
【００７１】
（付記１３） 付記１〜１２のいずれか１項に記載の表示装置の駆動方法において、該表示装置は、プラズマディスプレイ装置であることを特徴とする表示装置の駆動方法。
【００７２】
（付記１４） 表示パネル部と、画像信号を受け取って表示装置に適した画像データを該表示パネル部に供給するデータコンバータと、前記表示パネル部に電力を供給する電源部と、前記維持放電パルスのパルス幅を１つのサブフィールド内で変動させる維持放電パルス制御回路とを備えることを特徴とする表示装置。
【００７３】
（付記１５） 付記１４に記載の表示装置において、前記維持放電パルス制御回路は、維持放電電圧の電圧降下量に応じて前記維持放電パルスのパルス幅を制御することを特徴とする表示装置。
【００７４】
（付記１６） 付記１５に記載の表示装置において、前記電源部は、前記維持放電電圧を実際に検出し、前記維持放電パルス制御回路は、該検出された維持放電電圧に応じて前記維持放電パルスのパルス幅を制御することを特徴とする表示装置。
【００７５】
（付記１７） 付記１５に記載の表示装置において、前記データコンバータは、１フィールドを構成する各サブフィールドの負荷率を検出し、前記維持放電パルス制御回路は、該検出された各サブフィールドの負荷率に応じて前記維持放電パルスのパルス幅を制御することを特徴とする表示装置。
【００７６】
（付記１８） 付記１５に記載の表示装置において、前記データコンバータは、１フィールド全体の加重平均負荷率を算出し、前記維持放電パルス制御回路は、該算出された加重平均負荷率に応じて前記維持放電パルスのパルス幅を制御することを特徴とする表示装置。
【００７７】
（付記１９） 付記１４〜１８のいずれか１項に記載の表示装置において、前記維持放電パルス制御回路は、維持放電期間の前半においては狭く、且つ、該維持放電期間の後半においては広くなるように前記維持放電パルスのパルス幅を制御することを特徴とする表示装置。
【００７８】
（付記２０） 付記１４〜１８のいずれか１項に記載の表示装置において、前記維持放電パルス制御回路は、維持放電期間の初めのうちは狭く、且つ、該維持放電期間の後に行くほど徐々に広くなるように前記維持放電パルスのパルス幅を制御することを特徴とする表示装置。
【００７９】
（付記２１） 付記１４〜１８のいずれか１項に記載の表示装置において、前記維持放電パルス制御回路は、前記サブフィールド内の特定部分では狭く、且つ、該サブフィールド内の特定部分の後は徐々に広くなるように前記維持放電パルスのパルス幅を制御することを特徴とする表示装置。
【００８０】
（付記２２） 付記１４〜２１のいずれか１項に記載の表示装置において、前記維持放電パルス制御回路は、前記維持放電期間の少なくとも最初の１発は広くなるように前記維持放電パルスのパルス幅を制御することを特徴とする表示装置。
【００８１】
（付記２３） 付記１４に記載の表示装置において、さらに、前記データコンバータからの表示負荷率、および、前記電源部からの前記表示パネル部で消費される電力情報を受け取って前記維持放電パルス数を調整する電力制御回路を備え、該電力制御回路で１フィールド全体の維持放電パルス数を算出し、前記維持放電パルス制御回路は、該算出された維持放電パルス数に応じて前記維持放電パルスのパルス幅を制御することを特徴とする表示装置。
【００８２】
（付記２４） 付記２３に記載の表示装置において、前記維持放電パルス制御回路は、前記算出された総維持放電パルス数が、維持放電パルスのパルス幅を全てのサブフィールドが共通に太くすることができる維持放電パルス数よりも少なく、且つ、前記各サブフィールドの維持放電パルス数が、全ての維持放電パルスのパルス幅を太くすることが可能な休止時間のあるパルス数よりも少ないとき、前記全てのサブフィールドの全ての維持放電パルスのパルス幅を太くすることを特徴とする表示装置。
【００８３】
（付記２５） 付記１４〜２４のいずれか１項に記載の表示装置において、該表示装置は、前記１フィールドを複数のサブフィールドにより構成し、該サブフィールドの組み合わせにより中間調を表示することを特徴とする表示装置。
【００８４】
（付記２６） 付記１４〜２５のいずれか１項に記載の表示装置において、該表示装置は、プラズマディスプレイ装置であることを特徴とする表示装置。
【符号の説明】
【００８５】
１…データコンバータ２…フレームメモリ３…電力制御回路４…ドライバ制御回路５…電源６…アドレスドライバ７…Ｙドライバ８…Ｘドライバ９…表示パネル
【図１】
2010079306.tif 000003
【図２】
2010079306.tif 000004
【図３】
2010079306.tif 000005
【図４】
2010079306.tif 000006
【図５】
2010079306.tif 000007
【図６】
2010079306.tif 000008
【図７】
2010079306.tif 000009
【図８】
2010079306.tif 000010
【手続補正書】
【提出日】平成21年11月25日(2009.11.25)
【手続補正１】
【補正対象書類名】特許請求の範囲
【補正対象項目名】全文
【補正方法】変更
【補正の内容】
【特許請求の範囲】
【請求項１】
１フレームが複数のサブフィールドにより構成され、前記複数のサブフィールドのうち少なくとも１つのサブフィールドの維持放電期間にサステインパルスが繰り返し印加されることで発光を行うプラズマディスプレイパネルの駆動方法であって、
前記維持放電期間において、最初に最も幅の広い第１のサステインパルスを印加するステップと、
前記第1のサステインパルスが印加された後に、前記第１のサステインパルスよりも幅の狭い第２のサステインパルスを印加するステップと、
前記第２のサステインパルスが印加された後に、前記第１のサステインパルスよりも幅が狭く、前記第２のサステインパルスよりも幅が広い第３のサステインパルスを印加するステップとを有し、
表示データの表示負荷率が大きくなり、１フレームの総サステインパルス数が減少した場合に、前記第２のサステインパルスの幅をより幅の広いサステインパルスへ変更して印加することを特徴とするプラズマディスプレイパネルの駆動方法。
【請求項２】
請求項１に記載のプラズマディスプレイパネルの駆動方法であって、
前記第２のサステインパルスは複数回印加され、
表示データの表示負荷率が大きくなり、１フレームの総サステインパルス数が減少した場合に、複数回印加される前記第２のサステインパルスの全部がより幅の広いサステインパルスへ変更して印加されることを特徴とするプラズマディスプレイパネルの駆動方法。
【請求項３】
請求項２に記載のプラズマディスプレイパネルの駆動方法であって、
前記より幅の広いサステインパルスのパルス幅は、前記第３のサステインパルスのパルス幅と等しいことを特徴とするプラズマディスプレイパネルの駆動方法。
【請求項４】
請求項１乃至３のいずれかに記載のプラズマディスプレイパネルの駆動方法であって、前記第３のサステインパルスは、複数回印加されることを特徴とするプラズマディスプレイパネルの駆動方法。
【請求項５】
請求項１に記載のプラズマディスプレイパネルの駆動方法であって、
前記第２のサステインパルスの数は、前記総サステインパルス数に応じて変化することを特徴とするプラズマディスプレイパネルの駆動方法。
【請求項６】
請求項１に記載のプラズマディスプレイパネルの駆動方法であって、
前記第２のサステインパルスの数は、サブフィールドの負荷率に応じて変化することを特徴とするプラズマディスプレイパネルの駆動方法。
【請求項７】
請求項１に記載のプラズマディスプレイパネルの駆動方法であって、
前記表示データの表示負荷率が変化しても、前記第１のサステインパルスのパルス幅と、前記第３のサステインパルスのパルス幅は変化しないことを特徴とするプラズマディスプレイパネルの駆動方法。
【請求項８】
１フレームが複数のサブフィールドにより構成され、前記複数のサブフィールドのうち少なくとも１つのサブフィールドの維持放電期間にサステインパルスが繰り返し印加されることで発光を行うプラズマディスプレイパネルの駆動方法であって、
最も幅の広いサステインパルスが前記サブフィールドの維持放電期間の最初に印加するステップと、 
繰り返し印加されるサステインパルスとして少なくとも第1のサステインパルスと前記第1のサステインパルスよりもパルス幅の広い第２のサステインパルスを複数回繰り返し印加するステップとを有し、
表示データの表示負荷率が大きくなり、１フレームの総サステインパルス数が減少した場合に、前記第１のサステインパルスを印加せずに前記第２のサステインパルスを印加することを特徴とするプラズマディスプレイパネルの駆動方法。
【請求項９】
請求項８に記載のプラズマディスプレイパネルの駆動方法であって、少なくとも前記複数のサブフィールドの一つは、前記第１のサステインパルスと前記第２のサステインパルスの両方を印加し、前記第1のサステインパルスは、前記第２のサステインパルスよりも前に印加されることを特徴とするプラズマディスプレイパネルの駆動方法。